(57)【要約】【課題】フロントガラス上方からの日射しを確実に防ぎ、運転中でも、安全に使用できると共に状況に応じて容易に着脱自在な日除け器具の提供する。【解決手段】フロントガラス１とバックミラー２と運転席側サンバイザー４と助手席側サンバイザー３とを有する車両に於て、フロントガラス１の内面１ａに着脱自在な取着部材５を介して、運転席側サンバイザー４と助手席側サンバイザー３の間の間隔部位Ｍに取付けてバックミラー２の近傍から車内への日射しの侵入を防止するように構成している。【選択図】図１
2008230586.tif 000002
【特許請求の範囲】
【請求項１】
フロントガラス（１）とバックミラー（２）と運転席側サンバイザー（４）と助手席側サンバイザー（３）とを有する車両に於て、
上記フロントガラス（１）の内面（１ａ）に着脱自在な取着部材（５）を介して、上記運転席側サンバイザー（４）と上記助手席側サンバイザー（３）の間の間隔部位（Ｍ）に取付けて上記バックミラー（２）の近傍から車内への日射しの侵入を防止するように構成したことを特徴とする日除け器具。
【請求項２】
フロントガラス（１）とバックミラー（２）と運転席側サンバイザー（４）と助手席側サンバイザー（３）とを有する車両に於て、
上記バックミラー（２）又は該バックミラー（２）の支持部（２ａ）に着脱自在な取付部材（７）を介して、上記運転席側サンバイザー（４）と上記助手席側サンバイザー（３）の間の間隔部位（Ｍ）に取付けて上記バックミラー（２）の近傍から車内への日射しの侵入を防止するように構成したことを特徴とする日除け器具。
【発明の詳細な説明】
【技術分野】
【０００１】
本発明は、車両用の日除け器具に関する。
【背景技術】
【０００２】
従来、運転中の車両のフロントガラスから車内に入り込む日射しに対して、車内の運転席や助手席の上方前面に設けられたサンバイザーを使用して日除けをおこなっていた。また、フロントガラスの内面の右上から左上にわたって、カラーフィルムを貼着するものや、樹脂製の日除け用板状部材を固着するものがあった。また、特許文献１記載のようにサンバイザーに光線遮蔽部材を取り付けてサンバイザーの効果を補助するものがあった。
【特許文献１】特開平４ー３５３０１７号公報
【発明の開示】
【発明が解決しようとする課題】
【０００３】
解決しようとする課題は、従来のサンバイザーを用いた日除けや、サンバイザーに補助部材を取り付ける方法では、バックミラーの近傍から、日射しが入り込むという欠点があった。また、フロントガラスの上方全体に日除け用のシートを貼着するものや、樹脂製の板状部材を固着するものでは、取り外しが困難である為に夜間や雨天での際に取り付けたままで運転し、上方前面の視界（信号や標識等）の視認性が低下するという欠点があった。
【０００４】
そこで、本発明は、フロントガラス上方からの日射しを確実に防ぎ、運転中でも、安全に使用できると共に状況に応じて容易に着脱自在な日除け器具の提供を目的とする。
【課題を解決するための手段】
【０００５】
そこで、上記目的を達成させるために本発明に係る日除け器具は、フロントガラスとバックミラーと運転席側サンバイザーと助手席側サンバイザーとを有する車両に於て、上記フロントガラスの内面に着脱自在な取着部材を介して、上記運転席側サンバイザーと上記助手席側サンバイザーの間の間隔部位に取付けて上記バックミラーの近傍から車内への日射しの侵入を防止するように構成したものである。
【０００６】
また、フロントガラスとバックミラーと運転席側サンバイザーと助手席側サンバイザーとを有する車両に於て、上記バックミラー又は該バックミラーの支持部に着脱自在な取付部材を介して、上記運転席側サンバイザーと上記助手席側サンバイザーの間の間隔部位に取付けて上記バックミラーの近傍から車内への日射しの侵入を防止するように構成したものである。
【発明の効果】
【０００７】
本発明の日除け器具によれば、バックミラーの近傍から車内への日射しの侵入を防止（遮蔽）するので、日射しに影響を受けず、容易にバックミラーを見ることができる。また、使用者が、運転席側サンバイザーと助手席側サンバイザーとを併用することで、フロントガラス上方からの日射しの侵入を防止（遮蔽）できる。また、車両に標準装備のサンバイザーと併用することで、本発明に係る日除け器具を小型・軽量に製作できる。また、雨天や夜間などの車外が暗い状況の際は、取り外しができるので、運転者が容易に信号等を確認できる。
【発明を実施するための最良の形態】
【０００８】
図１は、本発明の第１の実施の形態の使用状態を示す正面図であり、図２は、第１の実施の形態を示す正面図であり、図３は、その使用状態を説明する側面図である。
図１と図２及び図３に於て、６は、日射しの透過量を軽減（遮蔽）可能な半透明の樹脂製シート状の遮蔽部材であって、フロントガラス１の内面１ａに着脱自在な取着部材５である吸盤部材を片側面に左右対称に２つ付設している。また、図１に示すように、遮蔽部材６は、助手席側と運転席側とのサンバイザー３，４をフロントガラス１に対面状にして使用した際に日射しから保護されていないバックミラー２の近傍からの日射しを遮蔽可能に形成すると共に、バックミラー２近傍の助手席側と運転席側とのサンバイザー３，４に重複（ラップ）可能な大きさに形成している。  
【０００９】
図４は、第２の実施の形態を示す正面図であり、図５は、その使用状態を説明する側面図である。
６は、日射しの透過量を軽減（遮蔽）可能な半透明の樹脂製シート状の遮蔽部材であって、下端６ｂから細長状切欠部６ａを形成している。さらに、フロントガラス１の内面１ａに着脱自在な取着部材５である吸盤部材を片側面に左右対称に２つ付設している。また、第１の実施の形態と同様に、バックミラー２の近傍からの日射しを遮蔽可能に形成すると共に、バックミラー２近傍の助手席側と運転席側とのサンバイザー３，４に重複（ラップ）可能な大きさに形成している。  
【００１０】
図６は、第３の実施の形態を示す正面図であり、図７は、その使用状態を説明する側面図である。
６は、日射しの透過量を軽減（遮蔽）可能な半透明の樹脂製シート状の遮蔽部材であって、下端６ｂから細長状切欠部６ａを形成している。さらに、バックミラー２に着脱自在な取付部材７であるコの字状のクランプ部材20を片側面に２つ付設している。クランプ部材20は、対面状に配置された爪部20ａを有すると共に、爪部20ａを図示省略の弾性部材にて常時弾発付勢させバックミラー２の裏面２ｂ側からバックミラー２を銜えるようにして取付可能に構成している。また、第１の実施の形態と同様に、バックミラー２の近傍からの日射しを遮蔽可能に形成すると共に、バックミラー２近傍の助手席側と運転席側とのサンバイザー３，４に重複（ラップ）可能な大きさに形成している。
【００１１】
図８は、第４の実施の形態を示す正面図であり、図８は、その使用状態を説明する側面図である。
６は、日射しの透過量を軽減（遮蔽）可能な半透明の樹脂製シート状の遮蔽部材であって、下端６ｂから細長状切欠部６ａ形成している。さらに、バックミラー２に着脱自在な取付部材７である鋏状のクリップ部材21を付設している。図８に示すようにクリップ部材21は弾性部材21ｃにて常時弾発付勢される左右の摘まみ部21ｂ，21ｂを有し、摘まみ部21ｂ，21ｂを接近させることで、バックミラー２を車両内の所定の位置に支持する支持部２ａに挟んで取付可能に構成している。さらに、支持部２ａとの接触面部21ａにゴム製の廻り止め部材（図示省略）を貼着している。また、第１の実施の形態と同様に、バックミラー２の近傍からの日射しを遮蔽可能に形成すると共に、バックミラー２近傍の助手席側と運転席側とのサンバイザー３，４に重複（ラップ）可能な大きさに形成している。
【００１２】
なお、本発明は上述の実施の形態に限定されず、設計変更自由であって、本発明に係る日除け器具の取付状態では、取着部材５や取付部材７が、使用者から観てバックミラー２の裏面２ｂ側に隠れるように配設するのが望ましい。また、遮蔽部材６は光だけでなく有害な紫外線等を遮断できる材質で形成するも好ましい。また、本発明に係る日除け器具が着脱自在に使用可能であれば、上述した部材以外（例えば磁石）で取着部材５や取付部材７を構成するも自由である。また、遮蔽部材６は、上述した部材以外（例えば棒材で枠を形成し薄い網状の布を張ったもの）で形成するも自由である。
【００１３】
上述した本発明の日除け器具の使用方法（作用）について説明する。
まず、フロントガラス１の上方からの日射しが強く、運転が困難である場合、図１のように、助手席側サンバイザー３と運転席側サンバイザー４とを、通常の使用状態であるフロントガラス１に対面状に配置させる。この際、各々のサンバイザー３，４では、日射しを遮ることができない間隙部位Ｍ（つまり、バックミラー２の近傍）がある。
そこで、本発明に係る日除け器具を使用して、この間隙部位Ｍからの日射しを遮る。
【００１４】
ここで、図３に示すようにバックミラー２が車両内の天井に支持部２ａを介して所定の位置に設置されている場合では、図２に示した第１の実施の形態の日除け器具を用いる。つまり、取着部材５である吸盤部材を、バックミラー２の裏面２ｂ近傍のフロントガラス１の内面１ａに貼着する。すると、遮蔽部材６が上述した大きさに形成されているので、充分にバックミラー２の近傍からの日射しを遮る。
【００１５】
また、図５に示すようにバックミラー２がフロントガラス１の内面１ａから支持部２ａを介して、所定の位置に配置されている場合では、図４に示した第２の実施の形態の日除け器具を用いる。つまり、遮蔽部材６に形成した細長状切欠部６ａに支持部２ａを挿通させて、バックミラー２の裏面２ｂ近傍のフロントガラス１の内面１ａに貼着する。すると、遮蔽部材６が上述した大きさに形成されているので、充分にバックミラー２の近傍からの日射しを遮る。
【００１６】
また、バックミラー２が天井10又はフロントガラス１の内面１ａいずれか一方に支持部２ａを介して、所定の位置に配置されている場合に、図６に示した第３の実施の形態の日除け器具を用いるも可能である。つまり、遮蔽部材６に形成した細長状切欠部６ａに支持部２ａを挿通させる。そして、上述した取付部材７となるコの字状クランプ部材20の対面状に配置された爪部20ａを広げて、バックミラー２の裏面２ｂ側から、バックミラー２を銜えるように取り付ける。すると、遮蔽部材６が上述した大きさに形成されているので、充分にバックミラー２の近傍からの日射しを遮る。
【００１７】
また、図８に示したような第４の実施の形態の日除け器具は、バックミラー２が天井10又はフロントガラス１のいずれか一方に支持部２ａを介して、所定の位置に配置されている場合に対応できる。つまり、遮蔽部材６に形成した細長状切欠部６ａに支持部２ａを挿通させる。そして、上述した取付部材７となるクリップ部材21の摘まみ部21ｂ，21ｂを接近させて、支持部２ａを挟んで取付している。すると、遮蔽部材６が上述した大きさに形成されているので、充分にバックミラー２の近傍からの日射しを遮る。この際。支持部２ａに接触面部21ａ，21ａのゴム製の廻り止め部材（図省略）が当接し、摩擦力によって、支持部２ａの軸心廻りに回転不能に取付している。
【００１８】
さらに、雨天や夜間になると、車外は暗くなり、日除けは必要ないので、本発明に係る日除け器具を取り外す。さらに、助手席側サンバイザー３と運転席側サンバイザー４とを、天井10に対面状に折り曲げて所定の位置に収納する。
【００１９】
以上のように、フロントガラス１とバックミラー２と運転席側サンバイザー４と助手席側サンバイザー３とを有する車両に於て、フロントガラス１の内面１ａに着脱自在な取着部材５を介して、運転席側サンバイザー４と助手席側サンバイザー３の間の間隔部位Ｍに取付けてバックミラー２の近傍から車内への日射しの侵入を防止するように構成しているので、運転者が日射しの影響を受けることなく容易にバックミラー２を見て後方確認がおこなえ、車両を安全に運転できる。また、車両に標準装備の助手席側及び運転席側サンバイザー３，４を併用すれば、フロントガラス１の上方からの日射しを確実に遮ることができる。また、日射しを確実に遮光できるので、車内の温度上昇を防げる。また、各々のサンバイザー３，４と併用可能なので、フロントガラス１の上方を全てカバーする必要がなく、小型・軽量で製作できると共に、容易に使用できる。また、取着部材５は着脱自在なので、容易に取り外せ、夜間や雨天などの信号や標識等の確認を邪魔することなく、安全に運転できる。また、フロントガラス１の内面１ａに取着するので、各々のサンバイザー３，４やバックミラー２の位置調節が容易にできる。
【００２０】
また、フロントガラス１とバックミラー２と運転席側サンバイザー４と助手席側サンバイザー３とを有する車両に於て、バックミラー２又は該バックミラー２の支持部２ａに着脱自在な取付部材７を介して、運転席側サンバイザー４と助手席側サンバイザー３の間の間隔部位Ｍに取付けてバックミラー２の近傍から車内への日射しの侵入を防止するように構成しているので、運転者が日射しの影響を受けることなく容易にバックミラー２を見て後方確認がおこなえ、車両を安全に運転できる。また、車両に標準装備の助手席側及び運転席側サンバイザー３，４を併用すれば、フロントガラス１の上方からの日射しを確実に遮ることができる。また、日射しを確実に遮光できるので、車内の温度上昇を防げる。また、各々のサンバイザー３，４と併用可能なので、フロントガラス１の上方を全てカバーする必要がなく、小型・軽量で製作できると共に、容易に使用できる。また、取付部材７は着脱自在なので、容易に取り外せ、夜間や雨天などの信号や標識等の確認を邪魔することなく、安全に運転できる。また、バックミラー２に取付するので、バックミラー２の近傍からの日射しを確実に遮ることができる。また、バックミラー２に取付するので、フロントガラス１が急な曲面形状の場合や、フロントガラス１にフィルムアンテナ等が貼っている場合でも影響を受けずに確実に取付できる。
【図面の簡単な説明】
【００２１】
【図１】第１の実施の形態の使用状態説明図である。
【図２】第１の実施の形態を示す正面図である。
【図３】第１の実施の形態の使用状態説明図である。
【図４】第２の実施の形態を示す正面図である。
【図５】第２の実施の形態の使用状態説明図である。
【図６】第３の実施の形態を示す正面図である。
【図７】第３の実施の形態の使用状態説明図である。
【図８】第４の実施の形態を示す正面図である。
【図９】第４の実施の形態の使用状態説明図である。
【符号の説明】
【００２２】
１  フロントガラス
１ａ  内面
２  バックミラー
２ａ  支持部
３  助手席側サンバイザー
４  運転席側サンバイザー
５  取着部材
７  取付部材                                                                    Ｍ  間隔部位
【図１】
2008230586.tif 000003
【図２】
2008230586.tif 000004
【図３】
2008230586.tif 000005
【図４】
2008230586.tif 000006
【図５】
2008230586.tif 000007
【図６】
2008230586.tif 000008
【図７】
2008230586.tif 000009
【図８】
2008230586.tif 000010
【図９】
2008230586.tif 000011